(57)【要約】【課題】ユーザ個々の端末で保持している辞書データから表示される予測候補として薦められる変換候補を有効活用し、個別なサービスの提供が可能な文字入力装置を提供する。【解決手段】文字入力装置は、コンテンツとともに配信される辞書データを受信する受信手段と、ユーザ操作に従い文字入力が可能な文字編集手段と、文字編集手段による文字入力の際に、文字入力に従って表示される予測変換候補のリストを作成する予測変換候補作成手段とを備える。辞書データは、受信されたコンテンツのコンテンツ内容に関するコンテンツ用辞書データと、広告文字に関する広告用辞書データとを含み、予測変換候補作成手段は、辞書データに含まれるコンテンツ用辞書データおよび広告用辞書データに基づいて文字入力の予測変換候補のリストを作成する。【選択図】図４
2014035565.tif 000002
【特許請求の範囲】
【請求項１】
コンテンツとともに配信される辞書データを受信する受信手段と、
ユーザ操作に従い文字入力が可能な文字編集手段と、
前記文字編集手段による文字入力の際に、文字入力に従って表示される予測変換候補のリストを作成する予測変換候補作成手段とを備え、
前記辞書データは、受信されたコンテンツのコンテンツ内容に関するコンテンツ用辞書データと、広告文字に関する広告用辞書データとを含み、
前記予測変換候補作成手段は、前記辞書データに含まれるコンテンツ用辞書データおよび広告用辞書データに基づいて文字入力の予測変換候補のリストを作成する、文字入力装置。
【請求項２】
前記文字編集手段による文字入力は、前記コンテンツを視聴している際に可能であり、
前記予測変換候補作成手段は、前記コンテンツを視聴している際に前記文字編集手段による文字入力がある場合に、前記辞書データに含まれるコンテンツ用辞書データおよび広告用辞書データに基づいて文字入力の予測変換候補のリストを作成する、請求項１記載の文字入力装置。
【請求項３】
前記広告用辞書データに含まれる広告文字の優先度は、前記コンテンツ用辞書データに含まれるコンテンツ内容に関する文字の優先度よりも高く設定される、請求項１または２記載の文字入力装置。
【請求項４】
表示手段を備え、
前記予測変換候補のリストに含まれている広告文字は、前記表示手段の一部領域に表示される、請求項１〜３のいずれかに記載の文字入力装置。
【請求項５】
ユーザ操作に従い文字入力が可能な文字編集機能を有する文字入力装置の制御方法であって、
コンテンツとともに配信される辞書データを受信するステップと、
前記文字編集機能による文字入力を受け付けるステップと、
前記文字編集機能による文字入力の際に、文字入力に従って表示される予測変換候補のリストを作成するステップとを備え、
前記辞書データは、受信されたコンテンツのコンテンツ内容に関するコンテンツ用辞書データと、広告文字に関する広告用辞書データとを含み、
前記予測変換候補のリストを作成するステップは、前記辞書データに含まれるコンテンツ用辞書データおよび広告用辞書データに基づいて文字入力の予測変換候補のリストを作成する、文字入力装置の制御方法。
【発明の詳細な説明】
【技術分野】
【０００１】
本発明は、文字入力装置および文字入力装置の制御方法に関して、予測変換候補を出力する文字入力装置および文字入力装置の制御方法に関する。
【背景技術】
【０００２】
従来、予測変換機能を備える端末装置が知られている。そのような端末装置では使用頻度の高い単語や最近使用された単語等が所定の基準で選択された予測変換候補として記憶されている。
【０００３】
また、近年、ユーザの使いやすさを考慮した予測精度の高い予測変換機能が開発されている。
【０００４】
このように順位付けされた予測候補は、高精度な予測をもとにユーザにとってますます利便性の高いものになりつつあり高付加価値なものとなっている。
【０００５】
この点で、例えば、特許文献１および２には、予測変換語あるいは予測候補データに関連する広告データを検索用エンジン用のサーバー（以降、検索エンジン）から取得する方式が提案されている。
【０００６】
しかしながら、現状では予測候補はあくまでも入力に対して検索エンジンから薦められる変換候補として使用されるにすぎず入力に対する予測変換用データは大多数のユーザに適用可能な一般の域を出ない。このため、新製品や流行に関する新しい単語については、検索エンジンでは表示されず使用されることはない。
【先行技術文献】
【特許文献】
【０００７】
【特許文献１】特開２００７−３４４６４号公報
【特許文献２】特開２０１０−１１７７９４号公報
【発明の概要】
【発明が解決しようとする課題】
【０００８】
本発明の目的は、このような事情を鑑みてなされたものであり、ユーザ個々の端末で保持している辞書データから表示される予測候補として薦められる変換候補を有効活用し、検索エンジンの処理にて新しい単語がフィルタリグされることなく予測候補として表示・選択が可能となる個別なサービスの提供が可能な文字入力装置および文字入力装置の制御方法を提供することである。
【０００９】
これにより、新製品・サービスの名称や流行に関する新しい単語について、検索エンジンの処理によりフィルタリングの影響を受けずに端末側の予測候補として表示されて利用することが可能となる。
【課題を解決するための手段】
【００１０】
本発明のある局面に従う文字入力装置は、コンテンツとともに配信される辞書データを受信する受信手段と、ユーザ操作に従い文字入力が可能な文字編集手段と、文字編集手段による文字入力の際に、文字入力に従って表示される予測変換候補のリストを作成する予測変換候補作成手段とを備える。辞書データは、受信されたコンテンツのコンテンツ内容に関するコンテンツ用辞書データと、広告文字に関する広告用辞書データとを含み、予測変換候補作成手段は、辞書データに含まれるコンテンツ用辞書データおよび広告用辞書データに基づいて文字入力の予測変換候補のリストを作成する。
【００１１】
好ましくは、文字編集手段による文字入力は、コンテンツを視聴している際に可能であり、予測変換候補作成手段は、コンテンツを視聴している際に文字編集手段による文字入力がある場合に、辞書データに含まれるコンテンツ用辞書データおよび広告用辞書データに基づいて文字入力の予測変換候補のリストを作成する。
【００１２】
好ましくは、広告用辞書データに含まれる広告文字の優先度は、コンテンツ用辞書データに含まれるコンテンツ内容に関する文字の優先度よりも高く設定される。
【００１３】
好ましくは、表示手段を備え、予測変換候補のリストに含まれている広告文字は、表示手段の一部領域に表示される。
【００１４】
本発明のある局面に従う文字入力装置の制御方法は、ユーザ操作に従い文字入力が可能な文字編集機能を有する文字入力装置の制御方法であって、コンテンツとともに配信される辞書データを受信するステップと、文字編集機能による文字入力を受け付けるステップと、文字編集機能による文字入力の際に、文字入力に従って表示される予測変換候補のリストを作成するステップとを備える。辞書データは、受信されたコンテンツのコンテンツ内容に関するコンテンツ用辞書データと、広告文字に関する広告用辞書データとを含み、予測変換候補のリストを作成するステップは、辞書データに含まれるコンテンツ用辞書データおよび広告用辞書データに基づいて文字入力の予測変換候補のリストを作成する。
【発明の効果】
【００１５】
ユーザ個々の端末にある辞書データから予測候補として薦められる変換候補を有効活用し、検索エンジンによるフィルタリングの阻害を受けない文字入力の個別なサービスの提供が可能である。これにより、新規の製品・サービス、流行に関する単語について検索エンジンによる影響を受けずに、端末の予測変換候補として表示されるため、新しく作成されるコンテンツに関連した単語や新規製品・サービスに関する単語が利用でき、ユーザにとっての利便性ととともにコンテンツ配信側の広告効果を得ることができ、ユーザとコンテンツ配信側の双方にメリットのあるビジネスメソッドとなる。
【図面の簡単な説明】
【００１６】
【図１】本発明の実施の形態１に従うコンテンツを配信するコンテンツ配信システムの概略を説明する図である。
【図２】本発明の実施の形態１に従う端末装置１００の機能ブロック図である。
【図３】本発明の実施の形態１に従う表示部１０６で表示される画面の一例を説明する図である。
【図４】本発明の実施の形態１に従う文字編集アプリが起動した場合の画面の一例を説明する図である。
【図５】本発明の実施の形態１に従う文字編集アプリに従う文字入力を実行する機能ブロック図である。
【図６】本発明の実施の形態１に従う辞書データを説明する図である。
【図７】本発明の実施の形態１に従う予測変換候補作成部で作成される予測変換候補のリストを説明する図である。
【図８】本発明の実施の形態１に従うＳＮＳや検索アプリ起動に従う文字入力の処理のフローを説明する図である。
【図９】本発明の実施の形態２に従う番組表コンテンツの一例を説明する図である。
【図１０】本発明の実施の形態２に従う番組表コンテンツに関連付けられて配信される辞書データを説明する図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
本発明を適用する文字入力装置については、携帯型の端末装置を用いて説明する。
当該携帯型の端末装置は、配信されたコンテンツを受信して視聴することが可能に構成されている。なお、本例においては、携帯型の端末装置として携帯電話について説明するが、特に携帯電話に限られず他の端末装置についても同様に適用可能である。
【００１９】
（実施の形態１）
図１は、本発明の実施の形態１に従うコンテンツを配信するコンテンツ配信システムの概略を説明する図である。
【００２０】
図１を参照して、コンテンツ配信システムは、コンテンツを蓄積するコンテンツサーバ２と、コンテンツサーバ２に蓄積されたコンテンツを配信する基地局４と、基地局４から配信されたコンテンツを受信して、視聴することが可能な端末装置１００とを備える。
【００２１】
なお、本例においては、配信されるコンテンツには、コンテンツの内容に関する辞書データが関連付けられてコンテンツサーバ２に蓄積されており、コンテンツが配信される際には、合わせて関連付けられている辞書データも配信されるものとする。
【００２２】
図２は、本発明の実施の形態１に従う端末装置１００の機能ブロック図である。
図２を参照して、端末装置１００は、端末の主制御を行う制御部１０１と、データ通信制御を行う通信制御部１０２と、アンテナ１０３と、音声を出力するためのスピーカ１０４と、音声入力のためのマイク１０５と、コンテンツを表示するための表示部１０６と、ユーザが端末操作するためのキーを制御するキー制御部１０７と、端末装置で用いられるプログラムを格納するＲＯＭ（Read Only Memory）１０８と、各種演算処理するためのワーク領域として用いられるＲＡＭ（Random Access Memory）１０９とを含む。後述するソーシャルネットワーキングサービス（以下、ＳＮＳとも称する）を利用するためのアプリやネットワークを介して情報を検索するための検索アプリおよび文字編集アプリは、一例としてＲＯＭ１０８に格納されているものとする。なお、外部からダウンロードすることによりＲＡＭ１０８等に格納されるようにしても良い。
【００２３】
図３は、本発明の実施の形態１に従う表示部１０６で表示される画面の一例を説明する図である。
【００２４】
図３を参照して、ここでは、表示部１０６において、基地局４から配信されたコンテンツを受信して視聴している場合が示されている。
【００２５】
また、当該コンテンツを視聴している際に、ＳＮＳを利用するためのＳＮＳボタン１５７が設けられている。また、検索アプリを起動するための検索ボタン１５８が設けられている。当該ＳＮＳまたは検索ボタン１５７を押下することによりコンテンツ視聴中にＳＮＳまたは検索アプリの利用が可能となる。そして、ＳＮＳまたは検索アプリを利用する際の文字入力が可能な文字編集アプリが起動するものとする。なお、ここでは、コンテンツ視聴の際にＳＮＳまたは検索ボタンを押下する場合について説明するが、特に当該場合以外の場合においてもＳＮＳまたは検索アプリを利用することは可能であるものとする。
【００２６】
なお、本例においては、ＳＮＳボタン１５７および検索ボタン１５８がともに設けられている構成について説明するが、特にこれに限られずいずれか一方のみ設けられている構成とすることも可能である。
【００２７】
図４は、本発明の実施の形態１に従う文字編集アプリが起動した場合の画面の一例を説明する図である。
【００２８】
図４を参照して、ユーザーは、表示部１０６に表示されたソフトキーボードを用いて文字を入力することが可能である。
【００２９】
本例においては、「あ」の文字をタッチしてユーザが文字入力した場合が示されている。
【００３０】
そして、本例の表示部１０６の中段領域において、当該文字入力に従い予測変換候補が列挙されている場合が示されている。
【００３１】
具体的には、「Ａ○」、「安○奈美」、「愛」、「あいさつ」、「シャ○プ」等が表示されている。当該予測変換候補を用いてユーザは容易に文字編集アプリにおいて文字を入力することが可能である。
【００３２】
当該予測変換候補には、通常の予測変換候補だけでなく、コンテンツの内容に関連した予測変換候補と企業名や商品名等の広告となる予測変換候補とが含められている。すなわち、コンテンツとともに配信される辞書データには広告文字が含まれている。
【００３３】
具体的には、「Ａ○」、「安○奈美」は、コンテンツの内容に関連した予測変換候補である。また、「愛」、「あいさつ」は、通常の辞書データに基づく予測変換候補である。また、「シャ○プ」は、企業名や商品名等の広告となる予測変換候補である。
【００３４】
これにより、ユーザーは予測変換候補の中の当該広告文字が視認される。これにより企業名や商品名等についての宣伝が可能となる。
【００３５】
図５は、本発明の実施の形態１に従う文字編集アプリに従う文字入力を実行する機能ブロック図である。
【００３６】
図５を参照して、本例においては、まず、基地局４からの辞書データがコンテンツとともに配信される。当該辞書データには、受信されたコンテンツのコンテンツの内容に関するコンテンツ用辞書データ２０８と広告文字に関する広告用辞書データ２０９とが含まれている。
【００３７】
そして、当該受信された辞書データは、辞書データ格納部２０６に格納される。なお、辞書データ格納部２０６には、予め端末装置１００にインストールされているような通常の辞書データ２１０も格納されているものとする。辞書データ格納部２０６は、一例としてＲＡＭ１０９等の一部領域が用いられるものとする。
【００３８】
文字入力部２００は、ユーザーのソフトキーボードを用いたキー操作に従って文字入力を受け付ける。
【００３９】
予測変換候補作成部２０２は、受け付けた文字入力に従い辞書データ格納部２０６に格納されている辞書データに基づいて予測変換候補を作成する。具体的には、予測変換候補作成部２０２は、コンテンツ視聴中である場合には、辞書データとしてコンテンツ用辞書データ２０８と、広告用辞書データ２０９と、通常の辞書データ２１０とに基づいて予測変換候補を作成する。コンテンツ視聴中で無い場合には、辞書データとして通常の辞書データ２１０に基づいて予測変換候補を作成する。
【００４０】
そして、変換候補表示部２０４は、図４に示されるように予測変換候補作成部２０２で作成された予測変換候補を表示する。
【００４１】
図６は、本発明の実施の形態１に従う辞書データを説明する図である。
図６（Ａ）を参照して、ここでは、コンテンツの内容に関するコンテンツ用辞書データが示されている。
【００４２】
具体的には、変換文字列と、よみ文字とが対応付けられて登録されている。
そして、コンテンツの内容に関する文字列と、よみ文字とが対応付けられている。
【００４３】
具体的には、「○リーグ」と、「じぇ○リーグ」とが対応付けられて登録されている場合が示されている。その他の文字についても同様である。
【００４４】
例えば、最初の一文字を入力した場合に、最初の先頭の一致する変換文字列が検索されて使用頻度等、所定の基準に基づいて表示される。
【００４５】
図６（Ｂ）を参照して、ここでは、広告文字に関する広告用辞書データが示されている。
【００４６】
具体的には、図６（Ａ）と同様に変換文字列と、よみ文字とが対応付けられて登録されている。
【００４７】
そして、広告文字に関する文字列と、よみ文字とが対応付けられている。
具体的には、企業名の広告文字として「シャ○プ」と、よみ文字「あ」とが対応付けられて登録されている場合が示されている。また、「シャ○プ」と、よみ文字「え」、「お」ともそれぞれ対応付けられて登録されている場合が示されている。
【００４８】
例えば、「あ」を入力した場合に、「シャ○プ」が変換候補として表示される。また、「え」、「お」を入力した場合も「シャ○プ」が変換候補として表示される。
【００４９】
すなわち、企業名の広告文字と、よみ文字とは直接関連せず、ユーザが入力する可能性の高い文字と対応付けることにより、当該広告文字を変換候補として表示される可能性が高い。
【００５０】
また、ここでは、企業名の広告文字のみについて説明しているが、新製品の商品名でも良いし、発売日でもよいし、宣伝広告となる文字であればどのようなものでも登録することが可能である。
【００５１】
図６（Ｃ）を参照して、ここでは、通常の辞書データが示されている。
具体的には、変換文字列と、よみ文字とが対応付けられて登録されている。
【００５２】
そして、一般用語に関する文字列と、よみ文字とが対応付けられている。
具体的には、「愛」と、「あい」とが対応付けられて登録されている場合が示されている。また、「あいさつ」と「あいさつ」とが対応付けられて登録されている場合が示されている。その他の文字についても同様である。
【００５３】
例えば、最初の一文字を入力した場合に、最初の先頭の一致する変換文字列が検索されて使用頻度等、所定の基準に基づいて表示される。
【００５４】
上記の３つの辞書データの少なくとも１つの辞書データに基づいて予測変換候補が作成される。
【００５５】
図７は、本発明の実施の形態１に従う予測変換候補作成部で作成される予測変換候補のリストを説明する図である。
【００５６】
図７を参照して、ここでは、複数の予測変換候補がリストとして列挙されている場合が示されており、例えば、上位何個かを表示するものとする。
【００５７】
具体的には、ユーザが「あ」を入力した際に、「Ａ○」、「安○奈美」、「愛」、「あいさつ」、「シャ○プ」が表示される場合が示されている。
【００５８】
当該リストの作成方式としては種々考えられるが、予測変換候補リストのうちの表示する個数と辞書データを対応付けることが可能である。具体的には、予測変換候補リストとして５つの文字列が表示される場合に、予測変換候補リストのうち４つの文字列は、コンテンツ用辞書データと通常の辞書データから作成し、残りの１つの文字列については広告用辞書データから作成することが可能である。また、使用頻度等に基づいて、優先順位を定めてリストを生成するようにしても良い。なお、予測変換候補リスト中の表示される中の少なくとも１つは、広告用辞書データから取得するようにすることにより広告文字を確実に表示部１０６に表示することが可能である。
【００５９】
また、表示部１０６の予測変換候補を表示する領域のある所定の領域は、広告用辞書データの広告文字を表示するように割り当てるようにしても良い。当該割り当てにより確実に広告文字を表示してユーザに視認させることが可能である。
【００６０】
図８は、本発明の実施の形態１に従うＳＮＳや検索アプリ起動に従う文字入力の処理のフローを説明する図である。当該処理は、主に制御部１０１における処理である。
【００６１】
図８を参照して、まず、ＳＮＳや検索アプリが起動されたかどうかを判断する（ステップＳ２）。具体的には、一例として図３で表示されたＳＮＳボタン１５７あるいは検索ボタン１５８が押下されたかどうかを判断する。
【００６２】
ステップＳ２において、ＳＮＳや検索アプリが起動されたと判断した場合（ステップＳ２においてＹＥＳ）には、次に、コンテンツ視聴中であるかどうかを判断する（ステップＳ４）。
【００６３】
ステップＳ４において、コンテンツ視聴中であると判断した場合（ステップＳ４においてＹＥＳ）には、受信した辞書データと通常の辞書データを取得する（ステップＳ８）。コンテンツに対応付けられて配信された辞書データと、予め保存されている辞書データを取得する。
【００６４】
そして、次に、文字入力が有るかどうかを判断する（ステップＳ１０）。具体的には文字編集アプリに従う文字入力部２００において文字入力を受け付けたかどうかを判断する。
【００６５】
ステップＳ１０において、文字入力が有ると判断した場合（ステップＳ１０においてＹＥＳ）には、予測変換候補のリストを生成する（ステップＳ１２）。文字入力に従い予測変換候補作成部２０２は、図７で説明した予測変換候補のリストを生成する。
【００６６】
そして、予測変換候補を表示する（ステップＳ１４）。変換候補表示部２０４は、生成したリストの中から表示する予測変換候補を選択して表示する。
【００６７】
そして、文字入力が終了したかどうかを判断する（ステップＳ１６）。
ステップＳ１６において、文字入力が終了したと判断した場合（ステップＳ１６においてＹＥＳ）には、処理を終了する（エンド）。
【００６８】
一方、ステップＳ１６において、文字入力が終了していないと判断した場合（ステップＳ１６においてＮＯ）には、ステップＳ１０に戻り、上記処理を繰り返す。
【００６９】
また、ステップＳ４において、コンテンツ視聴中で無いと判断した場合（ステップＳ４においてＮＯ）には、通常の辞書データのみを取得する（ステップＳ６）。コンテンツ視聴中で無い場合には、コンテンツに対応付けられて配信された辞書データを取得していないため予め設けられている辞書データのみを取得する。
【００７０】
そして、ステップＳ１０に進む。以降の処理については同様である。
すなわち、この場合には、広告用辞書データは用いないため広告文字は予測変換候補として表示されない。
【００７１】
本実施の形態１に従うコンテンツ配信システムにおけるビジネスメソッドとしては、ユーザ側からみれば、コンテンツとともに配信されるコンテンツの内容に関する辞書データを用いて予測変換候補を容易に選択することが可能となるためＳＮＳや検索アプリを利用した情報発信が簡便になり利便性が高まる。また、コンテンツ提供者側から見れば、ユーザのＳＮＳを利用した情報発信の機会を促して、当該コンテンツの内容が発信されることにより、多くの他のユーザの視聴を促すことが可能である。また、検索アプリで使用されれば、検索エンジンでの予測候補として表示されやすくなり、広告効果が広がる。また、当該予測変換候補に広告文字を含めることを希望するスポンサーを募ることにより、当該辞書からの広告収入を得ることが可能である。また、スポンサー側からみれば、辞書データに広告文字を含めて予測変換候補中に広告文字が表示されることにより、ＳＮＳや検索アプリを利用する際に当該広告文字を視認させることが可能であり、宣伝広告効果を期待することが可能である。
【００７２】
（実施の形態２）
上記の実施の形態１においては、視聴されるコンテンツとともに辞書データが配信される場合について説明したが、本実施の形態２においては、番組表コンテンツとともに辞書データが配信される構成について説明する。
【００７３】
図９は、本発明の実施の形態２に従う番組表コンテンツの一例を説明する図である。
図９を参照して、具体的には、ここでは、一例として１９時〜２２時の番組表が示されている。
【００７４】
図１０は、本発明の実施の形態２に従う番組表コンテンツに関連付けられて配信される辞書データを説明する図である。
【００７５】
図１０（Ａ）を参照して、図６（Ａ）の辞書データと比較して、ここでは、時間帯の設定がなされている場合が示されている。すなわち、番組コンテンツが放送される時間帯に合わせて、番組コンテンツの内容の変換候補が表示されるように設定されている。
【００７６】
したがって、番組コンテンツとともに当該辞書データを受信しない場合であっても、当該辞書データに時間帯の設定があることにより、当該時間帯に番組コンテンツを視聴しながらＳＮＳや検索アプリをする場合には、当該辞書データが参照されて、番組コンテンツに対応した内容の予測変換候補が作成されることになる。
【００７７】
図１０（Ｂ）を参照して、図６（Ｂ）の辞書データと比較して、ここでは、時間帯の設定がなされている場合が示されている。本例においても、当該時間帯に番組コンテンツを視聴しながらＳＮＳをする場合にも予測変換候補の中に広告文字を含めることが可能である。また、時間帯を設定するパラメータを設けることにより、広告文字を表示する時間帯を変更することが可能である。
【００７８】
図１０（Ｃ）を参照して、ここでは、通常の辞書データが示されている。当該辞書データについては、特に時間帯の設定はなく、図６（Ｃ）と同様である。
【００７９】
また、図１０（Ａ）〜（Ｃ）の辞書データには、重みづけの項目が設けられている。上記の実施の形態１においては、予測変換候補リストのうちの表示する個数が辞書データに応じて設定されている場合、また、使用頻度等により優先順位を設定する場合について説明したが、例えば、使用頻度等を重みづけの値として割り当てることにより、当該値の比較に基づいて優先順位を設定するようにしても良い。本例においては、一例として、重みづけの値として初期値「８０」に設定されている場合が示されている。そして、広告文字の重みづけの値としては「８１」に設定されている場合が示されており、比較に基づいて優先順位を設定することにより優先的に広告文字を表示することが可能である。また、当該重みづけの値は、例えば、予測変換候補としてユーザ選択があった場合には当該値を初期状態から変更することによりユーザの使用頻度をさらに反映した重みづけの値に変更することが可能である。この重みづけの値がされた辞書データからは、広告の効果を確認することにも利用できる。まず、広告文字を選択した場合、広告文字の重みづけが増加されるため、ユーザの利用回数が確認できる。次に、広告文字の重みづけの変化が無い場合でも、コンテンツ用辞書データの候補の重みづけの増加によりユーザの広告文字の参照回数が確認できる。なお、ユーザからのコンテンツ用辞書データと広告用辞書データは電話網による通信を用いて、送信を行うことにより実現する。
【００８０】
なお、上記の例においては、コンテンツ視聴の際に一例としてＳＮＳや検索アプリを利用する際に、受信したコンテンツに対応付けられた辞書データを利用する方式について説明したが、ＳＮＳや検索アプリではなく例えばメール機能を利用する際にも同様に適用可能である。
【００８１】
上記においては、コンテンツ視聴の際に、受信した辞書データを利用する方式について説明したが、コンテンツ視聴以外の際にＳＮＳ起動に従う文字編集アプリを利用する際に当該辞書データを用いることも可能である。例えば、ユーザが端末装置１００の辞書の設定に関して、予め設けられている通常の辞書データに受信した辞書データを含めるように設定するようにすればよい。当該処理により、コンテンツ視聴以外の際にＳＮＳ起動に従う文字編集アプリを利用する際に受信した辞書データを用いて予測変換候補を表示させることも可能である。また、ＳＮＳに限らずコンテンツ視聴以外の際に検索アプリ等を起動した際にも同様に適用可能である。その際には、予測変換候補に広告文字を含めることが可能であり、検索エンジン等のフィルタリングの影響を受けない形で企業名や商品名等をユーザに視認させることが可能である。また、検索アプリで使用された場合、選択した単語を検索エンジンに学習させて、本サービスを利用していないユーザが文字入力をしたときにも予測候補として表示させるようにして、広告効果を上げるようにしても良い。
【００８２】
なお、本例は、辞書データとして日本語の場合についてのみ説明したが、特に日本語辞書データに限られず他の言語の辞書データについても同様に適用可能である。
【００８３】
また、本例においては、コンテンツに対応付けられた辞書データとしてコンテンツ用辞書データと広告文字に関する広告用辞書データとがそれぞれ分けられている構成について説明したが、それらが１つにまとめられた形式で配信される構成とすることも可能である。
【００８４】
なお、本例においては、一例としてコンテンツ視聴中にＳＮＳを起動した場合、３つの辞書データ（通常の辞書データ、コンテンツ用辞書データ、広告用辞書データ）に基づいて予測変換候補を作成する場合について説明したが、特に３つに限らず、１つの辞書データでもよく、コンテンツ用辞書データおよび広告用辞書データの２つの辞書データを用いる構成としても良い。
【００８５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８６】
２  コンテンツサーバ、４  基地局、１００  端末装置、１０１  制御部、１０２  通信制御部、１０３  アンテナ、１０４  スピーカ、１０５  マイク、１０６  表示部、１０７  キー制御部、１０８  ＲＯＭ、１０９  ＲＡＭ、２００  文字入力部、２０２  予測変換候補作成部、２０４  変換候補表示部、２０６  辞書データ格納部。
【図１】
2014035565.tif 000003
【図２】
2014035565.tif 000004
【図３】
2014035565.tif 000005
【図４】
2014035565.tif 000006
【図５】
2014035565.tif 000007
【図６】
2014035565.tif 000008
【図７】
2014035565.tif 000009
【図８】
2014035565.tif 000010
【図９】
2014035565.tif 000011
【図１０】
2014035565.tif 000012